(57)【要約】【課題】  位置情報を獲得し，位置情報を移動体通信網を通じて位置決めサーバーに伝送することの可能なテスト用端末及びその制御方法を提供する。【解決手段】  テスト用端末をモードまたはＡ−ＧＰＳ動作モードに設定または変更するためのキー入力部と，ＧＰＳ人工衛星から送出される第１のＧＰＳ信号と第２のＧＰＳ信号を受信して伝達するＧＰＳアンテナと，第１のＧＰＳ信号を受取ってＣ−ＧＰＳ位置情報を生成するＣ−ＧＰＳ受信機と，第２のＧＰＳ信号を受取りＡ−ＧＰＳデータを生成するＡ−ＧＰＳ受信チップと，キー入力部から受信するモードキー値に応じてテスト用端末をＣ−ＧＰＳ動作モードまたはＡ−ＧＰＳ動作モードに設定し，Ｃ−ＧＰＳ動作モードでは，Ｃ−ＧＰＳ位置情報を生成するように制御し，Ａ−ＧＰＳ動作モードでは，Ａ−ＧＰＳデータを生成するように制御する【選択図】    図１
2004254293.tif 000002
【特許請求の範囲】
【請求項１】
基地局アンテナのカバーする最大範囲を調節してロケーションベースサービスを最適化するシステムに使用するためのテスト用端末であって:
前記テスト用端末をＣ−ＧＰＳ動作モードまたはＡ−ＧＰＳ動作モードに設定または変更するためのデータ入力手段として機能するキー入力部と；
一つ以上のＧＰＳ人工衛星から送出される第１のＧＰＳ信号及び第２のＧＰＳ信号を受信して伝達するＧＰＳアンテナと；
前記第１のＧＰＳ信号を受取って第１の航法データを抽出し，該第１の航法データを用いてＣ−ＧＰＳ位置情報を生成するＣ−ＧＰＳ受信機と；
前記第２のＧＰＳ信号を受取って第２航法データを抽出し，該第２航法データを用いてＡ−ＧＰＳデータを生成するＡ−ＧＰＳ受信チップと；
前記キー入力部により送出するモードキー値に応じて前記テスト用端末をＣ−ＧＰＳ動作モードまたはＡ−ＧＰＳ動作モードに設定し，前記Ｃ−ＧＰＳ動作モードでは，前記Ｃ−ＧＰＳ受信機が前記Ｃ−ＧＰＳ位置情報を生成するように制御し，前記Ａ−ＧＰＳ動作モードでは，前記Ａ−ＧＰＳ受信チップが前記Ａ−ＧＰＳデータを生成するように制御する，中央演算処理装置が少なくとも備わる内臓ボードと；
を含むことを特徴とする，ＬＢＳ最適化システム用テスト用端末。
【請求項２】
前記テスト用端末は，前記中央演算処理装置の制御により切換えて前記Ｃ−ＧＰＳ受信機及び前記Ａ−ＧＰＳ受信機を前記ＧＰＳアンテナと交互に連結させるスイッチを，更に含むことを特徴とする，請求項１に記載のＬＢＳ最適化システム用テスト用端末。
【請求項３】
前記テスト用端末は，前記Ａ−ＧＰＳ受信チップと前記内臓ボード間のデータ通信インターフェース機能を提供するＲＳ-２３２Ｃカードをさらに含むことを特徴とする，請求項１または２に記載のＬＢＳ最適化システム用テスト用端末。
【請求項４】
前記キー入力部の外部面には，前記テスト用端末を前記Ｃ−ＧＰＳ動作モードまたは前記Ａ−ＧＰＳ動作モードに設定又は変更する機能を有する，少なくとも一つのモード設定用キーボタンが設けられていることを特徴とする，請求項１，２，または３項のうちいずれか１項に記載のＬＢＳ最適化システム用テスト用端末。
【請求項５】
前記テスト用端末は，自身の動作モードを前記Ｃ−ＧＰＳ動作モードまたは前記Ａ−ＧＰＳ動作モードに設定又は変更する機能を有する，ＧＰＳ測定プログラムが少なくとも格納されたプログラムメモリ部を，さらに含むことを特徴とする請求項１，２，３，または４項のうちいずれか１項に記載のＬＢＳ最適化システム用テスト用端末。
【請求項６】
前記ＧＰＳ測定プログラムは，ＧＰＳデータを測定した回数，時刻，測定地点の座標及び測定結果をログファイルとして格納するログファイル生成機能と前記動作モードの設定や変更のための作業画面及び測定結果をディスプレイするためのユーザーインターフェース機能とをさらに有することを特徴とする，請求項１，２，３，４，または５項のうちいずれか１項に記載のＬＢＳ最適化システム用テスト用端末。
【請求項７】
前記テスト用端末は，自身の動作モードを待機モード，前記Ｃ−ＧＰＳ動作モード及び前記Ａ−ＧＰＳ動作モードに各々固有なフラグを割当てて，格納して前記動作モードを管理するモード状態格納部を，さらに含むことを特徴とする請求項１，２，３，４，５，または６項のうちいずれか１項に記載のＬＢＳ最適化システム用テスト用端末。
【請求項８】
前記テスト用端末は，動作可否，障害発生可否及び前記第１のＧＰＳ信号または前記第２のＧＰＳ信号の受信可否を示すためのＬＥＤ点滅部を，さらに含むことを特徴とする請求項１，２，３，４，５，６，または７項のうちいずれか１項に記載のＬＢＳ最適化システム用テスト用端末。
【請求項９】
前記テスト用端末は，駆動のための電源の供給を行う携帯用バッテリーを，さらに含むことを特徴とする，請求項１，２，３，４，５，６，７，または８項のうちいずれか１項に記載のＬＢＳ最適化システム用テスト用端末。
【請求項１０】
前記内臓ボードには，
前記テスト用端末の内部通信装置に対してデータの送受信を行うためのインターフェースとして機能する一つ以上のＵＡＲＴチップと；
前記Ｃ−ＧＰＳ位置情報及び前記Ａ−ＧＰＳデータを臨時に格納するランダムアクセスメモリと；
ＵＳＢケーブルまたはシリアルケーブルを通じて，外部の通信装置に対してデータの送受信を行うためのＵＳＢポートやシリアルポートと；
を，さらに搭載することを特徴とする，請求項１，２，３，４，５，６，７，８，または９項のうちいずれか１項に記載のＬＢＳ最適化システム用テスト用端末。
【請求項１１】
前記テスト用端末は，前記第１のＧＰＳ信号及び前記第１の航法データを，前記Ｃ−ＧＰＳ動作モードで受信及び抽出することを特徴とする，請求項１，２，３，４，５，６，７，８，９，または１０項のうちいずれか１項に記載のＬＢＳ最適化システム用テスト用端末。
【請求項１２】
前記テスト用端末は，前記第２のＧＰＳ信号及び前記第２航法データを前記Ａ−ＧＰＳ動作モードで受信及び抽出することを特徴とする，請求項１，２，３，４，５，６，７，８，９，１０，または１１項のうちいずれか１項に記載のＬＢＳ最適化システム用テスト用端末。
【請求項１３】
前記Ｃ−ＧＰＳ位置情報には，前記第１のＧＰＳ信号を送出した少なくとも一つのＧＰＳ人工衛星の緯度，経度及び個数の情報が含まれていることを特徴とする，請求項１，２，３，４，５，６，７，８，９，１０，１１，または１２項のうちいずれか１項に記載のＬＢＳ最適化システム用テスト用端末。
【請求項１４】
前記Ａ−ＧＰＳデータには，前記第２のＧＰＳ信号を送出した一つ以上のＧＰＳ人工衛星の識別コード，個数，測定時刻，前記第２のＧＰＳ信号の強さ，擬似距離，ＮＩＤ（ネットＩＤ）及びＢＳＩＤ（Ｂａｓｅ  Ｓｔａｔｉｏｎ
ＩＤ）が含まれていることを特徴とする，請求項１，２，３，４，５，６，７，８，９，１０，１１，１２，または１３項のうちいずれか１項に記載のＬＢＳ最適化システム用テスト用端末。
【請求項１５】
基地局アンテナのカバーする最大範囲を調節してロケーションベースのサービスを最適化するシステムに使用するためのテスト用端末であって：
前記テスト用端末をＣ−ＧＰＳ動作モードまたはＡ−ＧＰＳ動作モードに設定又は変更するためのデータ入力手段として機能するキー入力部と；
一つ以上のＧＰＳ人工衛星から送出される第１のＧＰＳ信号及び第２のＧＰＳ信号を受信して伝達するＧＰＳアンテナと；
前記第１のＧＰＳ信号を受取って第１の航法データを抽出し，該第１の航法データを用いてＣ−ＧＰＳ位置情報を生成するＣ−ＧＰＳ受信機と；
前記第２のＧＰＳ信号を受取って第２航法データを抽出し，該第２航法データを用いてＡ−ＧＰＳデータを生成するＡ−ＧＰＳ受信チップと；
前記キー入力部から受信するモードキー値に応じて前記テスト用端末をＣ−ＧＰＳ動作モードまたはＡ−ＧＰＳ動作モードに設定し，前記Ｃ−ＧＰＳ動作モードでは前記Ｃ−ＧＰＳ受信機が前記Ｃ−ＧＰＳ位置情報を生成するように制御し，前記Ａ−ＧＰＳ動作モードでは前記Ａ−ＧＰＳ受信チップが前記Ａ−ＧＰＳデータを生成するように制御する，中央演算処理装置が搭載された内臓ボードと；
前記中央演算処理装置の制御により，前記Ｃ−ＧＰＳ位置情報及び前記Ａ−ＧＰＳデータを格納するメモリ素子と；
を含むことを特徴とする，ＬＢＳ最適化システム用テスト用端末。
【請求項１６】
前記メモリ素子が，不揮発性を有することを特徴とする，請求項１５に記載のＬＢＳ最適化システム用テスト用端末。
【請求項１７】
前記メモリ素子が，フラッシュメモリカードを含むことを特徴とする請求項１６に記載のＬＢＳ最適化システム用テスト用端末。
【請求項１８】
前記フラッシュメモリカードが，ＰＣＭＣＩＡカード，コンパクトフラッシュ（登録商標）カード，スマートメディアカード，マルチメディアカード及びセキュアデジタルカードの中の一つ以上であることを特徴とする，請求項１７に記載のＬＢＳ最適化システム用テスト用端末。
【請求項１９】
前記内臓ボードには，
前記テスト用端末の内部通信装置に対してデータの送受信を行うためのインターフェースとして機能する一つ以上のＵＡＲＴチップと；
前記Ｃ−ＧＰＳ位置情報及び前記Ａ−ＧＰＳデータを臨時に格納するランダムアクセスメモリと；
ＵＳＢケーブルまたはシリアルケーブルを通じて，外部通信装置に対してデータの送受信を行うためのＵＳＢポートやシリアルポートとが，さらに搭載されていることを特徴とする，請求項１５に記載のＬＢＳ最適化システム用テスト用端末。
【請求項２０】
前記中央演算処理装置が，前記ランダムアクセスメモリに臨時に格納されている前記Ｃ−ＧＰＳ位置情報及び前記Ａ−ＧＰＳデータのリアルタイムの伝送が失敗する場合，前記Ｃ−ＧＰＳ位置情報及び前記Ａ−ＧＰＳデータを前記メモリ素子へ移動させて格納することを特徴とする，請求項１５または１９に記載のＬＢＳ最適化システム用テスト用端末。
【請求項２１】
前記テスト用端末が，前記第１のＧＰＳ信号及び前記第１の航法データを前記Ｃ−ＧＰＳ動作モードで受信及び抽出することを特徴とする，請求項１５に記載のＬＢＳ最適化システム用テスト用端末。
【請求項２２】
前記テスト用端末が，前記第２のＧＰＳ信号及び前記第２航法データを前記Ａ−ＧＰＳ動作モードで受信及び抽出することを特徴とする，請求項１５，１６，１７，１８，１９，２０，または２１項のうちいずれか１項に記載のＬＢＳ最適化システム用テスト用端末。
【請求項２３】
前記Ｃ−ＧＰＳ位置情報には，前記第１のＧＰＳ信号を送出した一つ以上のＧＰＳ人工衛星の緯度，経度及び個数の情報が含まれていることを特徴とする，請求項１５，１６，１７，１８，１９，２０，２１，または２２項のうちいずれか１項に記載のＬＢＳ最適化システム用テスト用端末。
【請求項２４】
前記Ａ−ＧＰＳデータには，前記第２のＧＰＳ信号を送出した一つ以上のＧＰＳ人工衛星の識別コード，個数，測定時刻，前記第２のＧＰＳ信号の強さ，擬似距離，ＮＩＤ及びＢＳＩＤが含まれていることを特徴とする，請求項１５，１６，１７，１８，１９，２０，２１，２２，または２３項のうちいずれか１項に記載のＬＢＳ最適化システム用テスト用端末。
【請求項２５】
基地局アンテナのカバーする最大範囲を調節してロケーションベースのサービス（ＬＢＳ）を最適化するシステムに使用するためのテスト用端末であって：
前記テスト用端末をＣ−ＧＰＳ動作モードまたはＡ−ＧＰＳ動作モードに設定または変更するためのデータ入力手段として機能するキー入力部と；
一つ以上のＧＰＳ人工衛星から送出される第１のＧＰＳ信号及び第２のＧＰＳ信号を受信して伝達するＧＰＳアンテナと；
前記第１のＧＰＳ信号を受取って第１の航法データを抽出し，該第１の航法データを用いてＣ−ＧＰＳ位置情報を生成するＣ−ＧＰＳ受信機と；
前記第２のＧＰＳ信号を受取って第２航法データを抽出し，該第２航法データを用いてＡ−ＧＰＳデータを生成するＡ−ＧＰＳ受信チップと；
前記キー入力部から受信するモードキー値に応じて前記テスト用端末をＣ−ＧＰＳ動作モードまたはＡ−ＧＰＳ動作モードに設定し，前記Ｃ−ＧＰＳ動作モードでは前記Ｃ−ＧＰＳ受信機が前記Ｃ−ＧＰＳ位置情報を生成するように制御し，前記Ａ−ＧＰＳ動作モードでは前記Ａ−ＧＰＳ受信チップが前記Ａ−ＧＰＳデータを生成するように制御する，中央演算処理装置が搭載された内臓ボードと；
前記中央演算処理装置の制御により，前記Ｃ−ＧＰＳ位置情報及び前記Ａ−ＧＰＳデータを格納するメモリ素子と；
前記中央演算処理装置の制御により，前記Ｃ−ＧＰＳ位置情報及び前記Ａ−ＧＰＳデータを変調してＭＡＲ値最適化用データ信号を生成して伝達する無線モデムと；
前記ＭＡＲ値最適化用データ信号を受信して電波空間へ送出するＲＦアンテナと；
を含むことを特徴とする，ＬＢＳ最適化システム用テスト用端末。
【請求項２６】
前記内臓ボードには，
前記テスト用端末の内部通信装置に対してデータの送受信を行うためのインターフェースとして機能する一つ以上のＵＡＲＴチップと；
前記Ｃ−ＧＰＳ位置情報及び前記Ａ−ＧＰＳデータを臨時に格納するランダムアクセスメモリと；
ＵＳＢケーブルまたはシリアルケーブルを通じて外部通信装置に対してデータの送受信を行うためのＵＳＢポートやシリアルポートとが，さらに搭載されていることを特徴とする，請求項２５に記載のＬＢＳ最適化システム用テスト用端末。
【請求項２７】
前記無線モデムが，前記ＵＡＲＴチップを通じて前記Ｃ−ＧＰＳ位置情報及び前記Ａ−ＧＰＳデータを受信することを特徴とする，請求項２５または２６に記載のＬＢＳ最適化システム用テスト用端末。
【請求項２８】
前記中央演算処理装置は，前記ランダムアクセスメモリに臨時に格納されている前記Ｃ−ＧＰＳ位置情報及び前記Ａ−ＧＰＳデータのリアルタイムの伝送が失敗する場合，前記Ｃ−ＧＰＳ位置情報及び前記Ａ−ＧＰＳデータを前記メモリ素子へ移動させて格納することを特徴とする，請求項２５，２６，または２７項のうちいずれか１項に記載のＬＢＳ最適化システム用テスト用端末。
【請求項２９】
前記テスト用端末は，前記第１のＧＰＳ信号及び前記第１の航法データを前記Ｃ−ＧＰＳ動作モードで受信及び抽出することを特徴とする，請求項２５，２６，２７，または２８項のうちいずれか１項に記載のＬＢＳ最適化システム用テスト用端末。
【請求項３０】
前記テスト用端末は，前記第２のＧＰＳ信号及び前記第２航法データを前記Ａ−ＧＰＳ動作モードで受信及び抽出することを特徴とする，請求項２５，２６，２７，２８，または２９項のうちいずれか１項に記載のＬＢＳ最適化システム用テスト用端末。
【請求項３１】
前記Ｃ−ＧＰＳ位置情報には，前記第１のＧＰＳ信号を送出した一つ以上のＧＰＳ人工衛星の緯度，経度，及び個数の情報が含まれていることを特徴とする，請求項２５，２６，２７，２８，２９，または３０項のうちいずれか１項に記載のＬＢＳ最適化システム用テスト用端末。
【請求項３２】
前記Ａ−ＧＰＳデータには，前記第２のＧＰＳ信号を送出した一つ以上のＧＰＳ人工衛星の識別コード，個数，測定時刻，前記第２のＧＰＳ信号の強さ，擬似距離，ＮＩＤ，及びＢＳＩＤが含まれていることを特徴とする，請求項２５，２６，２７，２８，２９，３０，または３１項のうちいずれか１項に記載のＬＢＳ最適化システム用テスト用端末。
【請求項３３】
基地局アンテナのカバーする最大範囲を調節してロケーションベースサービスを最適化するシステムに使用するためのテスト用端末の制御方法であって：
測定地点ごとにＡ−ＧＰＳ動作モードに切換えて，前記測定地点を管轄または隣接する無線基地局の識別コードを送出する第1のステップと；
移動体通信網を通じて補助データを受信し分析して，ＧＰＳ信号を探索し受信する第２のステップと；
Ａ−ＧＰＳデータを生成し格納し，Ｃ−ＧＰＳ動作モードに切換える第３のステップと，
ＧＰＳ信号を探索し受信する第４のステップと；
Ｃ−ＧＰＳ位置情報を生成し，これを前記Ａ−ＧＰＳデータと集合して前記移動体通信網を通じて位置決めサーバーへ伝送する第５のステップと；
を含むことを特徴とする，ＬＢＳ最適化システム用テスト用端末の制御方法。
【請求項３４】
前記第１のステップまたは前記第３のステップにて，
前記Ａ−ＧＰＳ動作モードまたは前記Ｃ−ＧＰＳ動作モードは，前記テスト用端末の外部面に備わっている一つ以上のモード設定用キーボタンを操作し設定することを特徴とする，請求項３３に記載のＬＢＳ最適化システム用テスト用端末の制御方法。
【請求項３５】
前記第１のステップまたは前記第３のステップにて，
前記Ａ−ＧＰＳ動作モードまたは前記Ｃ−ＧＰＳ動作モードは，前記テスト用端末に設置されているＧＰＳ測定プログラムを駆動し設定することを特徴とする，請求項３３または３４に記載のＬＢＳ最適化システム用テスト用端末の制御方法。
【請求項３６】
前記第２のステップにて，
前記テスト用端末は，前記補助データに含まれた一つ以上のＧＰＳ人工衛星の位置座標情報を用いて前記ＧＰＳ信号を探索することを特徴とする，請求項３３，３４，または３５項のうちいずれか１項に記載のＬＢＳ最適化システム用テスト用端末の制御方法。
【請求項３７】
前記第５のステップにて，
前記テスト用端末は，前記Ｃ−ＧＰＳ位置情報及び前記Ａ−ＧＰＳデータのリアルタイムの伝送が失敗する場合，前記Ｃ−ＧＰＳ位置情報及び前記Ａ−ＧＰＳデータを内蔵メモリ素子に格納した後，所定の時間の経過後に，再伝送を試みることを特徴とする，請求項３３，３４，３５，または３６項のうちいずれか１項に記載のＬＢＳ最適化システム用テスト用端末の制御方法。
【請求項３８】
前記テスト用端末に有線ケーブルを連結して前記メモリ素子に格納されている前記Ｃ−ＧＰＳ位置情報及び前記Ａ−ＧＰＳデータを複写または移動させて別途の格納部に格納することを特徴とする，請求項３３，３４，３５，３６，または３７項のうちいずれか１項に記載のＬＢＳ最適化システム用テスト用端末の制御方法。
【請求項３９】
前記テスト用端末が前記測定地点で前記Ｃ−ＧＰＳ動作モードに，まず設定された後，前記Ａ−ＧＰＳ動作モードに設定されることを特徴とする，請求項３３，３４，３５，３６，または３７項のうちいずれか１項に記載のＬＢＳ最適化システム用テスト用端末の制御方法。
【発明の詳細な説明】
【技術分野】
【０００１】
本発明は基地局アンテナの最大範囲値を調節し，ロケーションベースのサービスを最適化するシステムの性能を最適化するのに用いるためのテスト用端末及びその制御方法に関する。
【背景技術】
【０００２】
最近，場所に左右されず，インターネットなどの通信サービスを提供するために数多くの企業が無線インターネットという新技術の開発に拍車をかけている。無線インターネットとは，ユーザーが移動中，無線ネット（無線通信）を通じてインターネット・サービスを利用できる環境と技術をいう。携帯電話関連技術の発達と携帯電話普及率の飛躍的な増加に伴って，そのような無線インターネット環境の発展はより一層進められている。
【０００３】
一方，携帯電話，ＰＤＡ（携帯情報端末），またはノート型パソコンなどの移動体通信端末を用いた多様な無線インターネット・サービスのうち，特に，ＬＢＳ（Ｌｏｃａｔｉｏｎ  Ｂａｓｅｂａｎｄ  Ｓｅｒｖｉｃｅ）は，その多岐に渡る活用性及び利便性によって大きく脚光を浴びている。
【０００４】
詳述すると，ＬＢＳは救助要請，犯罪申告への対応，隣接地域情報提供の地理情報システム（ＧＩＳ；Ｇｅｏｇｒａｐｈｉｃ  Ｉｎｆｏｒｍａｔｉｏｎ  Ｓｙｓｔｅｍ），位置に応じる移動体通信料金の差別化，交通情報，車両航法，物流管制，位置基盤ＣＲＭ（Ｃｕｓｔｏｍｅｒ  Ｒｅｌａｔｉｏｎｓｈｉｐ  Ｍａｎａｇｅｍｅｎｔ）等，多様な分野や状況に用いられている。
【０００５】
このようなＬＢＳを用いるためには，移動体通信端末の位置を把握することが必須である。現在，移動体通信端末の位置を把握する方法としては，ＧＰＳ（Ｇｌｏｂａｌ  Ｐｏｓｉｔｉｏｎｉｎｇ  Ｓｙｓｔｅｍ）を用いる方法が一般的である。
【０００６】
ＧＰＳは，高度約２００００キロメートルの上空で地球の軌距離を回る２４個のＧＰＳ衛星を用いて，全世界どこでも位置の把握ができるシステムである。ＧＰＳは，１.５ＧＨｚ帯域の電波を使用し，地上にはコントロール・ステーションという調整センターがあり，ＧＰＳ衛星から送られてきた情報を収集して伝送時刻を同期させ，ユーザーはＧＰＳ受信機によって自身の現在位置を把握することができる。ＧＰＳシステムを用いる位置把握方法として，一般に三角測量法が使われている。この三角測量には，３個の衛星と，これに加えて時間誤りの補正のための１個の観測用衛星とからなって総４個のＧＰＳ衛星が必要である。
【０００７】
ただ高層ビルの多い都心では，多重経路または可視衛星の不足により位置を測定するための能力が制限され，トンネルや建物地下のように衛星が見えない所（電波が到達しない所）では正確な側位が殆ど不可能である。また，ＧＰＳ受信機が最初に自身の位置を決定するために要求する実際時間であるＴＴＦＦ（Ｔｉｍｅ  Ｔｏ  Ｆｉｒｓｔ  Ｆｉｘ）が，略数分〜数十分以上を要する場合が時々発生し，位置基盤無線インターネットのサービス利用者に対して大きい不便を与えるという不都合がある。
【０００８】
このようなＧＰＳ方式の短所を補完するために，ＧＰＳ方式に無線通信網の資源を組み合わせて移動体通信端末の位置を決定するＡ−ＧＰＳ（Ａｓｓｉｓｔｅｄ−Ｇｌｏｂａｌ  Ｐｏｓｉｔｉｏｎｉｎｇ  Ｓｙｓｔｅｍ）方式が開発されて使われている。このＡ−ＧＰＳ方式において，移動体通信端末はＧＰＳ人工衛星及び無線通信網から同時に位置決めに必要な情報を収集するので，緯度，経度及び高度の座標を用いて３次元的に位置決めが可能で，無線通信網と移動体通信端末とはＩＳ（Ｉｎｔｅｒｉｍ  Ｓｔａｎｄａｒｄ）−８０１−１規格に定義されたパラメータを用いてデータやメッセージを送受信する。つまり，ＧＰＳ人工衛星に対して位置測定の負荷を軽減することが可能となり，双方が補完して処理している。
【０００９】
一方，現在ＣＤＭＡ（Ｃｏｄｅ  Ｄｉｖｉｓｉｏｎ  Ｍｕｌｔｉｐｌｅ  Ａｃｃｅｓｓ）方式の通信網においては，一つの無線基地局ＢＳは基地局アンテナのＭＡＲ（Ｍａｘｉｍｕｍ  Ａｎｔｅｎｎａ  Ｒａｎｇｅ：ＭＡＲ）に該当するエリアをカバーする。ここで，ＭＡＲとは基地局アンテナから送出された電波が到達する最大距離を半径とするエリアをいう。
【００１０】
ＭＡＲを基準として無線基地局を設けて全国のあらゆる地域をカバーする方法では，無線基地局の設置費用が増大する等の短所がある。つまり，現在移動体通信網に設置されている無線基地局のＭＡＲ値は，３Ｋｍまたは５Ｋｍに一律的に設定されている。したがって，現在の移動体通信網において良質のＬＢＳを提供するためには，ＭＡＲ値のカバーするエリア単位ごとに，無線基地局を設置する必要がある。
【発明の開示】
【発明が解決しようとする課題】
【００１１】
しかしながら，現在移動体通信網は，無線基地局の設置に相当な費用を要する関係で，無線基地局と光ケーブルを通じて連結する一つ以上の光中継器を用いて無線基地局の音声呼やデータ呼のカバレッジ（サービス範囲）を広める構造になっている。ここで，光中継器は光ケーブルを通じて連結する無線基地局と同じ識別コードを使用するため，移動体通信端末が光中継器の管轄エリア内に位置している場合，無線基地局の識別コードを位置決めサーバーへ伝送するようになる。
【００１２】
したがって，現在の移動体通信網において移動体通信端末が光中継器のカバーするエリアにある場合，Ａ−ＧＰＳ方式を用いて移動体通信端末の位置を決定するのが非常に困難になる問題点が生じる。上記問題点について詳述すると，Ａ−ＧＰＳ方式では，移動体通信端末が別のＧＰＳ受信機を組み込まなくて，自身の位置している地域の無線基地局の識別コード（Ａｄｄｒｅｓｓ）を獲得して移動体通信網を通じて位置決めサーバーへ伝送する。この位置決めサーバーは，移動体通信網を通じて受信した無線基地局の識別コードを確認し，該当無線基地局に設定されているＭＡＲ値を確認する。
【００１３】
その次に，確認したＭＡＲ値を基準として該当無線基地局のエリア内において，ＧＰＳ信号の受信が可能なＧＰＳ人工衛星の座標情報を抽出して補助データとして移動体通信網を通じて移動体通信端末へ伝送する。移動体通信網を通じて補助データを受信した移動体通信端末は，該補助データに含まれているＧＰＳ人工衛星の座標情報を用いてＧＰＳ信号を検索する。
【００１４】
したがって，Ａ−ＧＰＳ方式において，移動体通信端末が受信するＧＰＳ人工衛星の座標情報は，移動体通信端末が該当無線基地局に設定されたＭＡＲ値を半径とするエリア内に位置している場合のみに，有効な情報として利用されることができる。つまり，移動体通信端末の位置が無線基地局のカバーするエリアの外郭の境界地域であったり，無線基地局と同じ識別コードを用いる光中継器の管轄エリア内に位置している場合には，受信する補助データが適切でなくなる。このような場合，移動体通信端末は適切でないＧＰＳ人工衛星の座標情報を用いてＧＰＳ信号を検索するため，ＧＰＳ信号の検索が優れず，位置決めが正確に行われないという不都合が生じていた。
【００１５】
本発明は，上記問題点に鑑みてなされたものであり，本発明の目的は，ＧＰＳ信号を探索してＭＡＲ値を調節するのに使われる，Ａ−ＧＰＳデータ及びＣ−ＧＰＳ位置情報を獲得し，該獲得したＡ−ＧＰＳデータ及びＣ−ＧＰＳ位置情報を移動体通信網を通じて位置決めサーバーに伝送することの可能な，新規かつ改良されたテスト用端末及びその制御方法を提供することである。
【課題を解決するための手段】
【００１６】
上記課題を解決するため，本発明の第１の観点によれば，基地局アンテナのカバーする最大範囲を調節してロケーションベースサービス（Ｌｏｃａｔｉｏｎ−Ｂａｓｅｄ  Ｓｅｒｖｉｃｅ：ＬＢＳ，位置情報サービス）を最適化するシステムに使用するためのテスト用端末であって，前記テスト用端末をＣ（Ｃｏｎｖｅｎｔｉｏｎａｌ）−ＧＰＳ動作モードまたはＡ（Ａｓｓｉｓｔｅｄ）−ＧＰＳ動作モードに設定または変更するためのデータ入力手段として機能するキー入力部と，一つ以上のＧＰＳ人工衛星から送出される第１のＧＰＳ信号及び第２のＧＰＳ信号を受信して伝達するＧＰＳアンテナと，前記第１のＧＰＳ信号を受取って第１の航法データを抽出し，該第１の航法データを用いてＣ−ＧＰＳ（Ｃｏｎｖｎｅｔｉｏｎａｌ―ＧＰＳ）位置情報を生成するＣ−ＧＰＳ受信機と，前記第２のＧＰＳ信号を受取って第２航法データを抽出し，該第２航法データを用いてＡ−ＧＰＳデータを生成するＡ−ＧＰＳ受信チップと，前記キー入力部から受信するモードキー値に応じて前記テスト用端末をＣ−ＧＰＳ動作モードまたはＡ−ＧＰＳ動作モードに設定し，前記Ｃ−ＧＰＳ動作モードでは，前記Ｃ−ＧＰＳ受信機が前記Ｃ−ＧＰＳ位置情報を生成するように制御し，前記Ａ−ＧＰＳ動作モードでは，前記Ａ−ＧＰＳ受信チップが前記Ａ−ＧＰＳデータを生成するように制御する，中央演算処理装置が搭載された内臓ボードとを含むことを特徴とする。
【００１７】
本発明の他の好適実施例によれば，基地局アンテナのカバーする最大範囲を調節してロケーションベースのサービス（ＬＢＳ）を最適化するシステムに使用するためのテスト用端末であって，前記テスト用端末をＣ−ＧＰＳ動作モードまたはＡ−ＧＰＳ動作モードに設定したり変更するためのデータ入力手段として機能するキー入力部と，一つ以上のＧＰＳ人工衛星から送出される第１のＧＰＳ信号及び第２のＧＰＳ信号を受信して伝達するＧＰＳアンテナと，前記第１のＧＰＳ信号を受取って第１の航法データを抽出し，該第１の航法データを用いてＣ−ＧＰＳ位置情報を生成するＣ−ＧＰＳ受信機と，前記第２のＧＰＳ信号を受取って第２航法データを抽出し，該第２航法データを用いてＡ−ＧＰＳデータを生成するＡ−ＧＰＳ受信チップと，前記キー入力部から受信するモードキー値に応じて前記テスト用端末をＣ−ＧＰＳ動作モードまたはＡ−ＧＰＳ動作モードに設定し，前記Ｃ−ＧＰＳ動作モードでは前記Ｃ−ＧＰＳ受信機が前記Ｃ−ＧＰＳ位置情報を生成するように制御し，前記Ａ−ＧＰＳ動作モードでは前記Ａ−ＧＰＳ受信チップが前記Ａ−ＧＰＳデータを生成するように制御する，中央演算処理装置が搭載された内臓ボードと，前記中央演算処理装置の制御により，前記Ｃ−ＧＰＳ位置情報及び前記Ａ−ＧＰＳデータを格納するメモリ素子とを含むことを特徴とする。
【００１８】
本発明のさらに他の好適実施例によれば，基地局アンテナのカバーする最大範囲を調節してロケーションベースのサービス（ＬＢＳ）を最適化するシステムに使用するためのテスト用端末であって，前記テスト用端末をＣ−ＧＰＳ動作モードまたはＡ−ＧＰＳ動作モードに設定したり変更するためのデータ入力手段として機能するキー入力部と，一つ以上のＧＰＳ人工衛星から送出される第１のＧＰＳ信号及び第２のＧＰＳ信号を受信して伝達するＧＰＳアンテナと，前記第１のＧＰＳ信号を受取って第１の航法データを抽出し，該第１の航法データを用いてＣ−ＧＰＳ位置情報を生成するＣ−ＧＰＳ受信機と，前記第２のＧＰＳ信号を受取って第２航法データを抽出し，該第２航法データを用いてＡ−ＧＰＳデータを生成するＡ−ＧＰＳ受信チップと，前記キー入力部から受信するモードキー値に応じて前記テスト用端末をＣ−ＧＰＳ動作モードまたはＡ−ＧＰＳ動作モードに設定し，前記Ｃ−ＧＰＳ動作モードでは前記Ｃ−ＧＰＳ受信機が前記Ｃ−ＧＰＳ位置情報を生成するように制御し，前記Ａ−ＧＰＳ動作モードでは前記Ａ−ＧＰＳ受信チップが前記Ａ−ＧＰＳデータを生成するように制御する，中央演算処理装置が搭載された内臓ボードと，前記中央演算処理装置の制御により，前記Ｃ−ＧＰＳ位置情報及び前記Ａ−ＧＰＳデータを格納するメモリ素子と，前記中央演算処理装置の制御により，前記Ｃ−ＧＰＳ位置情報及び前記Ａ−ＧＰＳデータを変調してＭＡＲ値最適化用データ信号を生成して伝達する無線モデムと，前記ＭＡＲ値最適化用データ信号を受信して電波空間へ送出するＲＦアンテナとを含むことを特徴とする。
【００１９】
上記課題を解決するために，本発明の別の観点によれば，基地局アンテナのカバーする最大範囲を調節してロケーションベースのサービス（ＬＢＳ）を最適化するシステムに使用するためのテスト用端末の制御方法であって，測定地点ごとにＡ−ＧＰＳ動作モードに切換えて，前記測定地点を管轄したり隣接する無線基地局の識別コードを送出する第1のステップと，移動体通信網を通じて補助データを受信し分析して，ＧＰＳ信号を探索し受信する第２のステップと，Ａ−ＧＰＳデータを生成し格納し，Ｃ−ＧＰＳ動作モードに切換える第３のステップと，ＧＰＳ信号を探索し受信する第４のステップと，Ｃ−ＧＰＳ位置情報を生成し，これを前記Ａ−ＧＰＳデータと集合して前記移動体通信網を通じて位置決めサーバーへ伝送する第５のステップとを含むことを特徴とする。
【発明の効果】
【００２０】
以上説明したように，本発明によれば，従来移動体通信網のＡ−ＧＰＳ方式では無線基地局のＭＡＲ値が一律的に決まり，ＭＡＲ値を半径とするエリア外の移動体通信端末機の位置決めが時々失敗したが，本発明によるテスト用端末を利用すれば，Ａ−ＧＰＳ方式の位置決めが失敗する地域を捜し出して，ロケーションベースのサービスの最適化を期することができる効果を奏する。
【発明を実施するための最良の形態】
【００２１】
以下，本発明の好適な実施の形態について，添付図面を参照しながら詳細に説明する。なお，以下の説明及び添付図面において，略同一の機能及び構成を有する構成要素については，同一符号を付することにより，重複説明を省略する。
【００２２】
図１は，本実施の形態にかかるＬＢＳ最適化システム１００の概略を示すブロック図である。
【００２３】
図１に示すように，本実施の形態にかかるＬＢＳ最適化システム１００は，複数のＧＰＳ人工衛星１０２，テスト用端末１１０，基地局（ＢＴＳ）１２０，光中継器１２２，基地局制御器（ＢＳＣ）１３０，移動交換局（ＭＳＣ）１４０，信号伝送点１５０及び基準ＧＰＳアンテナ１７０と接続した位置決めサーバー（ＰＤＥ：Ｐｏｓｉｔｉｏｎｉｎｇ  Ｄｅｔｅｒｍｉｎａｔｉｏｎ  Ｅｎｔｉｔｙ）１６０，ＭＡＲ値データベース１６２，ＭＡＲ値最適化用データベース１６４及び基準ＧＰＳアンテナ１７０から少なくとも構成される。なお，ＬＢＳ（位置情報サービス）は，移動体の位置を検索したり，通知したり，登録したりする機能を提供します。その利便性の高さから，次第にビジネスや生活のなかのさまざまなシーンで，位置情報を使ったアプリケーションサービスが利用されるようになってきました。位置情報サービスは，機能別に大きく分けると，移動体端末と，移動体の位置を特定するもの，そして管理センター機能を持つところの3つのパートで構成されます。移動体端末として利用されるのは，ＰＨＳ，ＧＰＳ携帯電話，ＰＤＡ，ＧＰＳレシーバー，特定の用途向けに開発された専用端末などがあり，ユーザが持ち運んだり，車や荷物などのモノに取り付けたりして使われます。
【００２４】
テスト用端末１１０は，一つ以上のＧＰＳ人工衛星１０２からＧＰＳ電波を受信して該ＧＰＳ電波に含まれている航法（ナビゲーション）データを抽出し，該抽出した航法データを，移動体通信網を通じて位置決めサーバー１６０に伝送するＧＰＳアンテナ，ＧＰＳ受信機などが取り付けられたものである。本実施の形態によるテスト用端末１１０は，移動体通信システムでのＭＡＲ値を最適化するためのもので，車両などの移動手段により移動しながら，ＭＡＲ値の最適化処理に必要なデータを収集して後述する位置決めサーバー１６０へ伝送する機能を果たす。なお，本実施の形態にかかるテスト用端末１１０は，少なくともＧＰＳ電波を受信し，移動可能な端末であれば，例えば，携帯電話，ノート型ＰＣ（パーソナル・コンピュータ），ＰＤＡ，デジタルカメラなど，いかなる端末でも実施可能である。
【００２５】
ここで，本実施の形態によるテスト用端末１１０は，Ａ−ＧＰＳ及びＣ−ＧＰＳ（Ｃｏｎｖｅｎｔｉｏｎａｌ−ＧＰＳ）を用いて位置決めが可能な移動体通信端末である。即ち，テスト用端末１１０はＣ−ＧＰＳ方式のためのＣ−ＧＰＳ受信機とＡ−ＧＰＳのためのＡ−ＧＰＳ受信モジュールとを共に組み込んでいる。
【００２６】
参考として，Ｃ−ＧＰＳ方式とＡ−ＧＰＳ方式の長短に対して説明すると，Ｃ−ＧＰＳ方式は通信網の助けを受けないで自主的に比較的正確な位置決めが可能で，主に開放的な環境で正常に位置決めが可能な反面，端末の電力消耗が大きくて，ＴＩＦＦが最大１０分以上かかり，別のＣ−ＧＰＳ受信機が必要であるという短所がある。
【００２７】
これに反し，Ａ−ＧＰＳ方式は，ＧＰＳ人工衛星を用いるＣ−ＧＰＳ方式と，ＣＤＭＡ通信網を用いるネットワーク基盤方式とを組み合わせた位置追跡方式として，Ａ−ＧＰＳ方式は建物内のようにＧＰＳ衛星信号が充分に届かない所でも，ＣＤＭＡ通信網による補助的な助けで位置決めが可能で，Ｃ−ＧＰＳ方式に比べて位置精度が高いという長所がある。また，端末の電力消耗が小さく，ＴＩＦＦが数秒以内として短く，Ａ−ＧＰＳ受信チップとモデムチップが一体になって別のＧＰＳ受信機が必要でなく，端末の製作費用が軽減するという長所がある。
【００２８】
テスト用端末１１０はＡ−ＧＰＳ方式を用いて周期的に獲得する人工衛星識別コード，衛星の数，時刻，衛星信号の強さ，擬似距離（Ｐｓｅｕｄｏｒａｎｇｅ），ＮＩＤ（ネットＩＤ），ＢＳＩＤ（Ｂｓａｅ  Ｓｔａｔｉｏｎ  ＩＤ）などを含むＡ−ＧＰＳデータと，Ｃ−ＧＰＳ方式を用いて周期的に獲得するＣ−ＧＰＳ位置情報（緯度，経度，衛星数等）を移動体通信網を通じて位置決めサーバー１６０へ伝送する。なお，擬似距離は，ＧＰＳ衛星とＧＰＳの距離の計測は補正無し時間の比較によって測られるもので，衛星からのコードと受信機のリファレンスコードを比較している。
【００２９】
本実施の形態によってテスト用端末１１０が，Ｃ−ＧＰＳ位置情報及びＡ−ＧＰＳデータを獲得する過程について，説明する。テスト用端末１１０は一定な地点ごとに測定者によってＣ−ＧＰＳ動作モードに設定されると，Ｃ−ＧＰＳ受信機を用いてＧＰＳ信号を探索し，該探索したＧＰＳ信号を用いてＣ−ＧＰＳ位置情報を演算し，該演算した
Ｃ−ＧＰＳ位置情報を内部メモリに一時格納する。
【００３０】
また，Ａ−ＧＰＳ方式を用いて位置データを獲得するために，テスト用端末１１０は概略位置情報（無線基地局の識別コード）を，移動体通信網を通じて位置決めサーバー１６０へ伝送する。この位置決めサーバー１６０は，テスト用端末１１０から受信した概略位置情報を用いて適切な補助データを検索し，該検索した補助データを移動体通信網を通じてテスト用端末１１０へ伝送する。ここで，位置決めサーバー１６０の伝送する補助データとは，テスト用端末１１０の伝送した無線基地局の識別コードを用いて抽出した一つ以上のＧＰＳ人工衛星の座標情報をいう。また，一つ以上のＧＰＳ人工衛星の座標情報とは，テスト用端末１１０の位置した地点で観測可能であると判断されたＧＰＳ人工衛星の座標情報をいう。
【００３１】
位置決めサーバー１６０から所定の補助データを受信するテスト用端末１１０は，受信した補助データを用いて該当ＧＰＳ人工衛星１０２のＧＰＳ電波を探索・受信する。テスト用端末１１０はＣ−ＧＰＳ方式でＣ−ＧＰＳ位置情報を獲得した同じ場所ごとに，Ａ−ＧＰＳ受信チップを用いてＧＰＳ電波を検索し，該検索結果としてのＡ−ＧＰＳデータを内部メモリに一時格納する。テスト用端末１１０はＣ−ＧＰＳ方式及びＡ−ＧＰＳ方式を用いて獲得したＣ−ＧＰＳ位置情報及びＡ−ＧＰＳデータ（以下，「ＭＡＲ値最適化用データ」と称する。）を組み込まれた無線モデムを用いて位置決めサーバー１６０へ周期的に伝送する。
【００３２】
次に，図２を参照しながら，本実施の形態にかかるテスト用端末１１０について説明する。図２は，本実施の形態にかかるテスト用端末１１０の概略的な構成を示す説明図である。
【００３３】
基地局伝送器１２０は，信号チャンネルの中，トラフィック・チャンネルを通じてテスト用端末に用いられるテスト用端末１１０から呼接続要請信号を受信して基地局制御器１３０へ伝送する。この基地局制御器１３０は基地局伝送器１２０を制御し，テスト用端末１１０への無線チャンネルの割当て及び解除，テスト用端末１１０及び基地局伝送器１２０の送信出力制御，セル間ソフト・ハンドオフ及びハード・ハンドオフの決定，トランスコーディング及びボーコーディング（Ｖｏｃｏｄｉｎｇ），無線基地局の運用及びメインテナンスなどを行う。
【００３４】
一方，本実施の形態による基地局伝送器１２０及び基地局制御器１３０は，同期式移動体通信システム及び非同期式移動体通信システムを共に支援できる構成を有する。同期式移動体通信システムの場合，基地局伝送器１２０はＢＴＳであり，基地局制御器１３０はＢＳＣであり，非同期式移動体通信システムの場合には，基地局伝送器１２０はＲＴＳ（Ｒａｄｉｏ  Ｔｒａｎｓｃｅｉｖｅｒ  Ｓｕｂｓｙｓｔｅｍ）であり，基地局制御器１３０はＲＮＣ（Ｒａｄｉｏ  Ｎｅｔｗｏｒｋ  Ｃｏｎｔｒｏｌｌｅｒ）である。勿論，本実施の形態にかかる基地局伝送器１３０及び基地局制御器１３０はこれに限定されるのではなく，ＣＤＭＡ網以外の例えば，ＧＳＭ網及び今後具現される第４世代移動体通信システムの接続網を含んでもよい。
【００３５】
一方，基地局伝送器１２０のアンテナから送出される電波は，図１に示すように，ＭＡＲ値を半径とするエリアＡ内に位置しているテスト用端末１１０によって受信可能で，該エリアＡ内に位置しているテスト用端末１１０の呼処理に用いられる。また，各々の基地局伝送器１２０ごとに設定されるＭＡＲ値は，位置決めサーバー１６０にセットされて格納され，現在ＭＡＲ値は一般に都心地域でも田舎地域でも３
Ｋｍまたは５Ｋｍに一律的にセットされる。
【００３６】
図１に示すように，光中継器１２２は，基地局伝送器１２０と光ケーブル１２１によって接続され，エリアＢ地域の移動体通信サービスをカバーする。上記光中継器１２２は，光ケーブル１２１を通じて接続している基地局伝送器１２０が含まれた無線基地局と同じ擬似雑音（ＰＮ）コードを有する。ＣＤＭＡ通信網は，光中継器１２２を光ケーブル１２１によって接続した無線基地局と同じ無線基地局として認識する。
【００３７】
このように光中継器１２２を用いると，５千万以上の費用がかかる基地局伝送器１２０の設置費用を節減すると共に，基地局伝送器１２０のカバレッジを光中継器１２２のカバーエリア程度に広めることができるという長所がある。したがって，現在移動体通信網には，一つの無線基地局に多数の光中継器が連結していることが一般的である。
【００３８】
移動交換局（ＭＳＣ）１４０は，各無線基地局の効率的な運用ができるような統制機能と公衆電話網に取り付けられた電子式交換機との連動機能を有する。この移動交換局１４０は，テスト用端末１１０から伝送されるデータやメッセージを基地局制御器１３０を通じて受信し，該受信データをＳＴＰ１５０を通じて位置決めサーバー１６０へ伝送する。移動交換局１４０は，基本及び付加サービス処理，加入者の着信呼及び発信呼処理，位置登録手順及びハンドオフ手順処理，他の網との連動機能などを行う。本実施の形態による移動交換局１４０は，ＩＳ−９５Ａ，ＩＳ-９５Ｂ，ＩＳ-９５Ｃシステムと，３世代及び４世代移動体通信網を全て支援することができる。
【００３９】
信号伝送点（ＳＴＰ）１５０は，ＩＴＵ−Ｔの共通線信号方式において信号メッセージの中継及び交換を行う信号中継局である。このＳＴＰ１５０を用いて構成した信号網は通話回線と信号回線を対応付けない非対応モードによって運用され，各種信号は通話回線を有する交換局以外のＳＴＰを介して伝送されるので，経済性及び信頼性を共に向上することができる。また，ＳＴＰ１５０は信号メッセージを変換し，信号中継が不可能な時，該信号メッセージを他の交換局に通知する機能も有する。
【００４０】
位置決めサーバー１６０は，テスト用端末１１０から伝送されるＭＡＲ最適化用データを受信分析し，ＭＡＲ最適化の処理が必要な無線基地局を把握してＭＡＲ最適化の処理を行う。位置決めサーバー１６０のＭＡＲ最適化処理を行った無線基地局のＭＡＲ値は，新たな値に更新され，ＭＡＲ値データベース１６２に格納される。位置決めサーバー１６０により行われるＭＡＲ最適化処理については，図２と共に説明する。
【００４１】
一方，位置決めサーバー１６０は，Ａ−ＧＰＳ方式を用いた位置決め過程において一連の機能を果たす。説明すると，位置決めサーバー１６０はテスト用端末１１０から移動体通信網を介して伝送されるＡ−ＧＰＳデータを用いて，テスト用端末１１０の経度及び緯度の座標を演算する。より詳細に説明すると，位置決めサーバー１６０はテスト用端末１１０から無線基地局の識別コードのような概略位置情報を受信すると，当該無線基地局にセットされているＭＡＲ値を，ＭＡＲ値データベース１６２を検索して読み出す。
【００４２】
当該無線基地局の位置情報及びＭＡＲ値を確認した位置決めサーバー１６０は，無線基地局によってＧＰＳ電波を受信することができるＧＰＳ人工衛星１０２の情報（座標情報，識別コード情報等）が含まれた，ＩＳ−８０１−１規格に定義されている「Ｐｒｏｖｉｄｅ  ＧＰＳ  Ａｃｑｕｉｓｔｉｏｎ  Ａｓｓｉｓｔａｎｃｅ」メッセージを，移動体通信網を通じてテスト用端末１１０へ伝送する。詳述すると，位置決めサーバー１６０はあらゆるＧＰＳ人工衛星１０２をリアルタイムにモニタする基準ＧＰＳアンテナ１７０からＧＰＳ人工衛星１０２の軌距離情報を受信する。
【００４３】
その次に，テスト用端末１１０の位置した無線基地局の緯経度座標及びＭＡＲ値を用いて，テスト用端末１１０がＧＰＳ電波の受信状況が良好なＧＰＳ人工衛星１０２の情報を抽出する。位置決めサーバー１６０は，該抽出したＧＰＳ人工衛星１０２の情報を「
Ｐｒｏｖｉｄｅ  ＧＰＳ  Ａｃｑｕｉｓｔｉｏｎ  Ａｓｓｉｓｔａｎｃｅ」メッセージに含めてテスト用端末１１０へ伝送する。
【００４４】
このメッセージを受信したテスト用端末１１０は，該メッセージに含まれているＧＰＳ人工衛星１０２の情報を抽出し，該当ＧＰＳ人工衛星１０２から送出されるＧＰＳ電波を探索して受信する。
【００４５】
一つ以上のＧＰＳ人工衛星１０２からＧＰＳ電波を受信したテスト用端末１１０は，該受信ＧＰＳ電波を用いて，ＧＰＳ電波を受信した衛星の識別コード及び個数と，衛星信号の強さ及び擬似距離などを演算する。その次に，ＩＳ−８０１−１規格に定義されている「Ｐｒｏｖｉｄｅ  Ｐｓｅｕｄｏｒａｎｇｅ  Ｍｅａｓｕｒｅｍｅｎｔ」メッセージを用いて，Ａ−ＧＰＳデータを移動体通信網を通じて位置決めサーバー１６０へ伝送する。テスト用端末１１０から該メッセージを受信した位置決めサーバー１６０は，そのメッセージに含まれているデータを取捨選択してテスト用端末１１０の緯度及び経度座標を演算する。
【００４６】
ＭＡＲ値データベース１６２は，多数の無線基地局の識別コード別にセットされているＭＡＲ値テーブルを格納している。したがって，位置決めサーバー１６０はテスト用端末１１０から無線基地局の識別コードが含まれたＡ−ＧＰＳ位置決め要請信号を受信すると，ＭＡＲ値データベース１６２に格納されたＭＡＲ値テーブルを検索し，該当無線基地局のエリア内で良好に観測可能なＧＰＳ人工衛星の情報が含まれた補助データをテスト用端末１１０へ伝送する。
【００４７】
また，ＭＡＲ値データベース１６２は，位置決めサーバー１６０によりＭＡＲ値最適化処理が行われた無線基地局の新たなＭＡＲ値を受信し，ＭＡＲ値テーブルを更新して格納する機能も有する。
【００４８】
ＭＡＲ値最適化用データベース１６４は，位置決めサーバー１６０のテスト用端末１１０から受信したＭＡＲ値最適化用データを格納する。ＭＡＲ値最適化用データベース１６４は，測定日時別，測定時間別，測定装備別，無線基地局別等でＭＡＲ値最適化用データを分類して格納する。したがって，位置決めサーバー１６０はＭＡＲ値最適化用データベース１６４を検索してＭＡＲ値最適化処理を行うようになる。
【００４９】
一方，本実施の形態によってＬＢＳサービスを最適化するためにＭＡＲ値を調節する一連の仕組みは，次の通りである。
【００５０】
図１で説明したＬＢＳシステム１００において，テスト用端末１１０が基地局伝送器１２０のカバーするエリアＡ内に位置する場合には，位置決めサーバー１６０から伝送されるＧＰＳ人工衛星１０２の情報が正確なことであるので，多数のＧＰＳ人工衛星１０２からＧＰＳ信号を受信して位置決めを正確にすることができる。しかしながら，テスト用端末１１０がエリアＡの範囲外の光中継器１２２のカバーするエリアＢ内に位置する場合には，Ａ−ＧＰＳ方式では位置決めを正しくしない場合が発生する。
【００５１】
上記の場合，エリアＢ内に位置しているテスト用端末１１０から位置決め要請信号が発生すれば，光中継器１２２と光ケーブル１２１によって連結したエリアＡ内の基地局伝送器１２０が，自身のＰＮコードを移動体通信網を通じて位置決めサーバー１６０へ伝送する。次に，位置決めサーバー１６０は基地局伝送器１２０のＭＡＲ値と位置座標を用いて，ＧＰＳ信号の受信が可能なＧＰＳ人工衛星１０２の情報を伝送する。このＧＰＳ人工衛星１０２の情報は，基地局伝送器１２０のＭＡＲ値を用いて抽出した情報であるため，エリアＡ内のみで有効な情報として活用することができる。
【００５２】
しかしながら，テスト用端末１１０はエリアＢ内に位置しているため，エリアＡで有効なＧＰＳ人工衛星１０２の情報としてＧＰＳ信号を受信しようとする場合，充分な個数のＧＰＳ信号（４ケ以上）を受信することができない場合が発生する。このため，テスト用端末１１０から充分な個数のＧＰＳデータを受信することができない位置決めサーバー１６０は，テスト用端末１１０の位置決めを正しく行うことができなくなる。
【００５３】
このような短所を補完するために，テスト用端末１１０は基地局伝送器及び／または光中継器が設置された一つ以上のエリアを，車両などを用いて移動しながら，Ａ−ＧＰＳデータ及びＣ−ＧＰＳ位置情報を受信して移動体通信網を通じて位置決めサーバー１６０へ伝送する。この位置決めサーバー１６０は，テスト用端末１１０からＡ−ＧＰＳデータ及びＣ−ＧＰＳ位置情報を同時に受信し，該受信したＡ−ＧＰＳデータ及びＣ−ＧＰＳ位置情報を分析する。
【００５４】
位置決めサーバー１６０は，Ａ−ＧＰＳデータ及びＣ−ＧＰＳ位置情報を分析した結果，Ｃ−ＧＰＳ動作モードではＧＰＳ信号を４ケ以上良好に受信する反面，Ａ−ＧＰＳ動作モードでは２ケ以下のＧＰＳ信号を受信したと判断すると，自身の伝送した補助データが有効でなかったと判断する。すなわち，Ａ−ＧＰＳデータ及びＣ−ＧＰＳ位置情報を伝送したテスト用端末が位置している測定地点を，ＭＡＲ値最適化が必要な地点として判断する。
【００５５】
位置決めサーバー１６０やＭＡＲ値最適化用データベース１６４は，Ｃ−ＧＰＳ位置情報を分析して得たＧＰＳ人工衛星の識別コード，個数，測定地点の緯経度座標などと，Ａ−ＧＰＳデータから得たＮＩＤ，ＢＳＩＤとを用いて，Ａ−ＧＰＳ受信チップのサービング基地局の緯経度座標と，Ｃ−ＧＰＳ位置情報から獲得した測定地点の緯経度座標との間の距離を計算する。位置決めサーバー１６０やＭＡＲ値最適化用データベース１６４は，計算した距離値のうち，最大の距離値を新たなＭＡＲ値として修正する過程によって，ＭＡＲ値最適化処理を行う。
【００５６】
次に，図２を参照しながら，本実施の形態にかかるテスト用端末１１０について説明する。図２は，本実施の形態にかかるテスト用端末１１０の概略的な構成を示すブロック図である。
【００５７】
本実施の形態にかかるテスト用端末１１０は，プログラムメモリ部２１０，パラメータ格納部２１１，キー入力部２１２，ＬＣＤ表示部２１３，データ格納部２１４，モード状態格納部２１５，ＬＥＤ点滅部２１６，バッテリー２１７，内臓ボード２２０，ＲＳ-２３２Ｃカード２４０を備える。また，テスト用端末１１０はＡ−ＧＰＳ受信チップ２５０，Ｃ−ＧＰＳ受信機２６０，フラッシュメモリカード２７０，無線モデム２８０，スイッチ２９０，ＧＰＳアンテナ２９２及びＲＦアンテナ２９４を含む。
【００５８】
プログラムメモリ部２１０には，移動体通信網に対して送受信されるメッセージを処理するためのプロトコルソフトウェアが格納されており，本実施の形態にかかるＧＰＳ測定プログラムが格納されている。ＧＰＳ測定プログラムは，テスト用端末１１０の動作モードを設定または変更する機能，ＧＰＳデータを測定した回数，時刻，測定地点の座標及び測定結果をログファイルとして格納するログファイル生成機能，動作モードの設定や変更のための作業画面及び測定結果をディスプレイするためのユーザーインターフェース機能などを提供する。
【００５９】
ここで，テスト用端末１１０の動作モードとは，ＧＰＳデータを獲得するためのＣ−ＧＰＳ動作モード及びＡ−ＧＰＳ動作モードをいう。一方，本実施の形態にかかるＧＰＳ測定プログラムは，オブジェクト指向言語のＣ＋＋やＪＡＶＡ（ジャバ：商標登録）などのプログラム言語を用いてコーディングすることができる。
【００６０】
パラメータ格納部２１１には，テスト用端末１１０が音声通話及び／またはデータ通信を行うことができるように，３ＧＰＰ（Ｔｈｅ  ３ｒｄ  Ｇｅｎｅｒａｔｉｏｎ  Ｐａｒｔｎｅｒｓｈｉｐ），３ＧＰＰ２，国際電気通信連合（ＩＴＵ），ＯＨＧ（Ｏｐｅｒａｔｏｒ  Ｈａｒｍｏｎｉｚａｔｉｏｎ  Ｇｒｏｕｐ）などで定義した同期式，非同期式及び第４世代通信システムで使われる各種パラメータを格納し，または格納することができる。したがって，プログラムメモリ部１１０に格納されているプロトコルソフトウェアは，パラメータ格納部２１１に格納されているパラメータを用いて音声及び／またはデータを変調及び復調する。
【００６１】
キー入力部２１２には，電話番号などの数字及び文字を入力するための多数のキーボタンが設けられている。このキーボタンは通常，１２個の数字キー（０〜９，*，＃），多数のファンクションキー，多数のカーソル移動キー，スクロールキーなどを含んでもよい。また，キー入力部２１２には本発明の実施例によってテスト用端末１１０の動作モードを設定，または変更するための一つ以上のモード設定用キーボタンが設けられてもよい。したがって，測定者は，プログラムメモリ部２１０に記憶されたＧＰＳ測定プログラムを活用，またはキー入力部２１２に設けられているモード設定用キーボタンを操作して，テスト用端末１１０をＣ−ＧＰＳ動作モードまたはＡ−ＧＰＳ動作モードに設定することができる。
【００６２】
ＬＣＤ表示部２１３は，一般にバッテリーの使用状態，電波の受信強度，日字及び時刻を表示してテスト用端末１１０の動作状態を示す。また，本実施の形態によれば，ＬＣＤ表示部２１３は実行されたＧＰＳ測定プログラムの実行画面をディスプレイし，テスト用端末１１０が受信，演算したＣ−ＧＰＳ位置情報及びＡ−ＧＰＳデータをディスプレイする。
【００６３】
モード状態格納部２１５は，キー入力部２１２により選択されたテスト用端末１１０の現在動作モードを状態フラグ（例えば，０，１，２，…）を割り当てて格納する。さらに詳細に説明すると，内臓ボード２２０に搭載された中央演算処理装置（ＣＰＵ）２２１は，テスト用端末１１０の待機モード，Ｃ−ＧＰＳ動作モード，Ａ−ＧＰＳ動作モード及びデータ伝送モードを区分するために，それぞれのモードごとに固有な状態フラグを割り当ててモード状態格納部２１５を更新する。
【００６４】
ＬＥＤ点滅部２１６はテスト用端末１１０の動作可否，障害発生可否，ＧＰＳデータの受信可否，ＭＡＲ値最適化用データの伝送可否などをＬＥＤの点滅によって示す機能を果たす。また，バッテリー２１７は，テスト用端末１１０の駆動のための電源を供給するもので，再充電可能な携帯用装置である。
【００６５】
内臓ボード２２０は，一般に中央演算処理装置２２１，ランダムアクセスメモリ２２２，ＬＡＮポート（図示せず。），ＵＳＢポート２２３，シリアルポート２２４などをまとめて備えるボードをいう。この内臓ボード２２０を用いて多数の電子部品を統合すれば，別のケーブルや導電線を用いて該ボードに電子部品を接続する時発生するデータバッファリング，隣のケーブルや導電線間での電磁気的干渉現状による障害発生などの問題点を改善することができる。
【００６６】
内臓ボード２２０に搭載された中央演算処理装置２２１は，ＲＳ-２３２Ｃカード２４０を通じてＡ−ＧＰＳデータを受信し，該受信したＡ−ＧＰＳデータを内臓ボード２２０に搭載されたランダムアクセスメモリ２２２に，一時的に臨時に格納する。また，中央演算処理装置２２１はＣ−ＧＰＳ受信機２６０から受信したＣ−ＧＰＳ位置情報もランダムアクセスメモリ２２２に臨時に格納したがＡ−ＧＰＳデータと共に送出されるように制御する。
【００６７】
内臓ボード２２０に搭載されたランダムアクセスメモリ２２２は，前述のように，Ａ−ＧＰＳデータ及びＣ−ＧＰＳ位置情報を臨時に格納，削除する機能を果たす。また，ランダムアクセスメモリ２２２はテスト用端末１１０にインストールされた各種プログラムが実行される場合，データバッファとしての機能を果たし，キー入力部２１２から入力されたデータを臨時に格納する機能も行う。
【００６８】
ＵＳＢポート２２３及びシリアルポート２２４は，テスト用端末１１０の外部に設けられる通信インターフェース用ポートであって，ＵＳＢケーブル及びシリアルケーブルを通じてコンピュータなどのような通信装置とテスト用端末１１０の通信を可能にする。したがって，測定者がテスト用端末１１０で測定したＭＡＲ値最適化用データを通信環境の不良などの理由で位置決めサーバー１６０へ伝送できなかったり正常に伝送をできない場合などに，ＵＳＢポート２２３またはシリアルポート２２４を用いてテスト用端末１１０に格納されたＭＡＲ値最適化用データをコンピュータなどに複写したり移動させることができる。また，コンピュータに複写され，または移動したＭＡＲ値最適化用データは，有線通信網を通じて位置決めサーバー１６０へ伝送されることができることである。
【００６９】
ＵＡＲＴ（Ｕｎｉｖｅｒｓａｌ  Ａｓｙｎｃｈｒｏｎｏｕ  Ｒｅｃｅｉｖｅｒ／Ｔｒａｎｓｍｉｔｔｅｒ）チップ２２５及び２２６は，内臓ボード２２０と外部の装置との間のデータ送受信のために並列ビット列をシリアルビット列に変換または，その逆の変換処理を行う。ＵＡＲＴチップ２２５，２２６について説明すると，テスト用端末１１０に組み込まれた電子部品でのデータは，並列ビット列構造に送受信される。しかしながら，並列ビット列は短距離の送受信には適合であるが，長距離の送受信には不適合である。したがって，ＵＡＲＴチップはテスト用端末１１０で生成された並列ビット列を長距離の伝送に適合したシリアルビット列に変換し，モデムなどのような通信装置へ伝達する。また，通信網を通じて受信したシリアルビット列のデータをテスト用端末１１０で用いるために，並列ビット列のデータに変換する機能も行う。
【００７０】
したがって，ＵＡＲＴチップ２２５はＲＳ-２３２Ｃカード２４０を通じて受信したシリアルビット列のＭＡＲ値最適化用データを並列ビット列のＭＡＲ値最適化用データに変換して中央演算処理装置２２１へ伝達する。これに対して，ＵＡＲＴチップ２２６は中央演算処理装置２２１により利用される並列ビット列のＭＡＲ値最適化用データをシリアルビット列のＭＡＲ値最適化用データに変換して無線モデム２８０へ伝達する。
【００７１】
ＲＳ-２３２Ｃカード２４０は一般に，コンピュータのような装置がモデムのようなシリアル装置とデータを送受信するために使用する最も普遍的な通信インターフェースである，ＲＳ-２３２Ｃ規格を支援する通信カードである。ＲＳ-２３２Ｃカード２４０はＵＡＲＴチップ２２５とＡ−ＧＰＳ受信チップ２５０との間のデータインターフェース装置として機能する。
【００７２】
Ａ−ＧＰＳ受信チップ２５０は，テスト用端末１１０がＡ−ＧＰＳ方式で位置決めを行うことができるように受信するＧＰＳ信号から航法データを抽出する。また，該抽出した航法データを用いて，ＧＰＳ人工衛星の識別コード，個数，衛星信号の強さ，擬似距離などを演算し，ＲＳ-２３２Ｃカード２４０及びＵＡＲＴチップ２２５を通じて中央演算処理装置２２１へ伝達する。
【００７３】
Ｃ−ＧＰＳ受信機２６０は，Ａ−ＧＰＳ受信チップ２５０と同様に，テスト用端末１１０がＣ−ＧＰＳ方式で位置決めを行うことができるように受信するＧＰＳ信号から航法データを抽出する。しかしながら，Ｃ−ＧＰＳ受信機２６０は，該抽出した航法データを用いてＧＰＳ人工衛星の識別コード及び個数だけでなく，テスト用端末１１０の緯経度座標を直接演算して位置決めを自ら行う機能も行う。Ｃ−ＧＰＳ受信機２６０はテスト用端末１１０の緯経度座標を直接演算するために，航法データを用いて緯経度座標を演算する座標演算アルゴリズムを組み込んでいる。
【００７４】
フラッシュメモリカード２７０は，ＥＥＰＲＯＭの一種であって，一般的なＥＥＰＲＯＭとは異なり，ブロック単位で再プログラム可能で，ＲＡＭ及びＲＯＭの機能を共に受容する長所を有する。また，一度記録されたデータの保存状態を維持するためにこれ以上の電力消耗を要しないために，低電力が必須な携帯電話，ＰＤＡ等のような装置に主に使われている。フラッシュメモリカード２７０のデータは，テスト用端末１１０が毎測定地点で測定してランダムアクセスメモリ２２２に臨時に格納されている。ＭＡＲ値最適化用データをリアルタイムで伝送できない場合，ＭＡＲ値最適化用データをランダムアクセスメモリ２２２から受取って格納する。すなわち，フラッシュメモリカード２７０はランダムアクセスメモリ２２２の動作を補助するために，テスト用端末１１０でコンピュータのハードディスクのような機能を果たすと見ることができる。
【００７５】
本実施の形態にかかるフラッシュメモリカード２７０は，かかる例に限定されず，例えば，フラッシュメモリカード２７０は，ＰＣＭＣＩＡカード，コンパクトフラッシュ（登録商標）カード，スマートメディアカード，マルチメディアカード，
セキュアデジタルカードなどを例示することができる。
【００７６】
無線モデム２８０は，ランダムアクセスメモリ２２２やフラッシュメモリカード２７０に格納されたＭＡＲ値最適化用データを，ＵＡＲＴチップ２２６を介して受信する。また，受信したＭＡＲ値最適化用データを高周波信号にのせる所定の変調処理を行い，ＭＡＲ甲最適化用データ信号を生成してＲＦアンテナ２９４を通じて送出する。
【００７７】
スイッチ２９０は，中央演算処理装置２２１の制御により，ＧＰＳアンテナ２９２をＡ−ＧＰＳ受信チップ２５０またはＣ−ＧＰＳ受信機２６０に交互に切換える機能を果たす。詳細に説明すると，中央演算処理装置２２１はキー入力部２１２からＡ−ＧＰＳ動作モードの設定キー値が入力されると，スイッチ２９０をＡ−ＧＰＳ受信チップ２５０に切換え，Ｃ−ＧＰＳ動作モードの設定キー値が入力されると，スイッチ２９０をＣ−ＧＰＳ受信機２６０に切換える。
【００７８】
ＧＰＳアンテナ２９２はＣ−ＧＰＳ動作モードまたはＡ−ＧＰＳ動作モード状態で，中央演算処理装置２２１の制御によりＧＰＳ信号を探索して受信する機能を果たす。
【００７９】
ＲＦアンテナ２９４は，無線モデム２８０から受信した変調されたＭＡＲ値最適化用データを電波空間へ送出する機能を果たす。
【００８０】
図３は，本実施の形態にかかるテスト用端末１１０が動作する過程を簡略に示すフローチャートである。
【００８１】
図２及び図３に示すように，テスト用端末１１０を用いてＭＡＲ値最適化用データの生成処理をする測定者は，テスト用端末１１０のキー入力部２１２に設けられた一つ以上のモード設定用キーボタンを操作し，Ｃ−ＧＰＳモードキー値またはＡ−ＧＰＳモードキー値を入力する（Ｓ３００）。勿論，図１で説明したように，プログラムメモリ部２１０に設けられたＧＰＳ測定プログラムを用いてＡ−ＧＰＳ動作モードまたはＣ−ＧＰＳ動作モードに切換えてもよい。
【００８２】
中央演算処理装置２２１は，ステップＳ３００にて入力されたキー値を分析し，あるモードキー値が入力されたかを判断する（Ｓ３０２）。中央演算処理装置２２１はステップＳ３０２の判断結果，Ｃ−ＧＰＳモードキー値が入力されたと判断されると，テスト用端末１１０をＣ−ＧＰＳ動作モードに切換える（Ｓ３０４）。また，中央演算処理装置２２１は切換え信号を生成し，スイッチ２９０をＣ−ＧＰＳ受信機２６０に切換える（Ｓ３０６）。Ｃ−ＧＰＳ動作モードに切換えられたテスト用端末１１０は，ＧＰＳアンテナ２９２を用いてＧＰＳ信号を探索して受信する（Ｓ３０８）。
【００８３】
テスト用端末１１０のＣ−ＧＰＳ受信機２６０は，ステップＳ３０８にて受信したＧＰＳ信号を分析して航法データを抽出し（Ｓ３１０），該抽出した航法データを用いてＣ−ＧＰＳ位置情報を生成する（Ｓ３１２）。中央演算処理装置２２１はステップＳ３１２にてＣ−ＧＰＳ受信機２６０の生成したＣ−ＧＰＳ位置情報をランダムアクセスメモリ２２２に一時格納する（Ｓ３１４）。
【００８４】
一方，中央演算処理装置２２１はステップＳ３０２における判断の結果，Ａ−ＧＰＳモードキー値が入力されたと判断されると，テスト用端末１１０をＡ−ＧＰＳ動作モードに切換える（Ｓ３１６）。また，中央演算処理装置２２１は切換え信号を生成してスイッチ２９０をＡ−ＧＰＳ受信チップ２５０に切換える（Ｓ３１８）。
【００８５】
Ａ−ＧＰＳ動作モードに切換えられたテスト用端末１１０は，獲得して格納している無線基地局の識別コードを，Ａ−ＧＰＳ移動体通信網を介して位置決めサーバー１６０へ伝送する（Ｓ３２０）。無線基地局の識別コードを受信した位置決めサーバー１６０は，補助データを生成して移動体通信網を通じてテスト用端末１１０へ伝送し，テスト用端末１１０は該補助データを受信して分析する（Ｓ３２２）。
【００８６】
テスト用端末１１０は，ステップＳ３２２にて分析した補助データを用いてＧＰＳ信号を探索して受信する（Ｓ３２４）。ここで，Ａ−ＧＰＳ動作モードはＣ−ＧＰＳ動作モードで使用したことと同じＧＰＳアンテナ２９２を用いてＧＰＳ信号を探索・受信する。したがって，テスト用端末１１０は固定測定地点で同じＧＰＳアンテナ２９２を用いてＧＰＳ信号を受信するので，Ｃ−ＧＰＳ動作モードとＡ−ＧＰＳ動作モードでＧＰＳ信号の受信位置誤差が発生しない。
【００８７】
テスト用端末１１０は受信したＧＰＳ信号を分析して航法データを抽出し（Ｓ３２６），該抽出した航法データを用いてＡ−ＧＰＳデータを生成する（Ｓ３２８）。中央演算処理装置２２１はステップＳ３２８にてＡ−ＧＰＳ受信チップ２５０の生成したＡ−ＧＰＳデータをランダムアクセスメモリ２２２に一時格納する（Ｓ３２８）。
【００８８】
中央演算処理装置２２１はＣ−ＧＰＳ位置情報及びＡ−ＧＰＳデータの受信処理が完了すると，ランダムアクセスメモリ２２２に一時格納されているＣ−ＧＰＳ位置情報及びＡ−ＧＰＳデータを用いてＭＡＲ値最適化用データとして，無線モデム２８０及びＲＦアンテナ２９４を通じて位置決めサーバー１６０へ伝送する（Ｓ３３２）。
【００８９】
一方，テスト用端末１１０は自体故障や通信環境の障害などの理由によって，ステップＳ３３２でＭＡＲ値最適化用データの伝送が不可能な場合，ランダムアクセスメモリ２２２に格納されたＭＡＲ値最適化用データをフラッシュメモリカード２７０に格納する。したがって，テスト用端末１１０は自体故障が復旧または通信環境が良好な状態に転換する場合に，ＭＡＲ値最適化用データを位置決めサーバー１６０へ伝送することができる。
【００９０】
また，本実施の形態によれば，テスト用端末１１０がＣ−ＧＰＳ方式と
Ａ−ＧＰＳ方式を交互に切換えながら，測定をするようになる。したがって，テスト用端末１１０において，Ｃ−ＧＰＳ方式とＡ−ＧＰＳ方式とでＧＰＳ信号の受信時刻の同期化が不可能になるという短所が生じる恐れがある。このため，ＧＰＳ信号の受信時刻を同期化させる方法によって，Ａ−ＧＰＳ動作モードでは周期的な時間単位（例えば，１分単位）ごとに測定地点を指定してＡ−ＧＰＳデータを獲得する。
【００９１】
反面，Ｃ−ＧＰＳ動作モードでは，整数単位のＧＰＳ時刻に測定地点を指定してＣ−ＧＰＳ位置情報を獲得する。その次に，Ａ−ＧＰＳ動作モードを用いてＧＰＳ信号を受信した時刻を基準として，Ｃ−ＧＰＳ位置情報を獲得した測定地点の位置座標を補正し，Ａ−ＧＰＳ動作モードとＣ−ＧＰＳ動作モードとでの測定地点を指定した時刻の同期化を成し遂げられるようになる。
【００９２】
以上，添付図面を参照しながら本発明の好適な実施形態について説明したが，本発明はかかる例に限定されない。当業者であれば，特許請求の範囲に記載された技術的思想の範疇内において各種の変更例または修正例を想定し得ることは明らかであり，それらについても当然に本発明の技術的範囲に属するものと了解される。
【産業上の利用可能性】
【００９３】
本発明は，基地局アンテナの最大範囲値を調節し，ロケーションベースのサービスを最適化するシステムの性能を最適化するのに用いるためのテスト用端末及びその制御方法に適用可能である。
【図面の簡単な説明】
【００９４】
【図１】本実施の形態にかかるＬＢＳ最適化システムの概略的な構成を示すブロック図である。
【図２】本実施の形態にかかるテスト用端末の概略的な構成を示すブロック図である。
【図３】本実施の形態にかかるテスト用端末に適用された動作の概略を示すフローチャートである。
【符号の説明】
【００９５】
１１０      テスト用端末１１０
１２０      基地局
１２２      光中継器
１３０      基地局制御器
１４０      移動交換局
１５０      信号伝送点
１６０      位置決めサーバー
１６２      ＭＡＲ値データベース
１６４      ＭＡＲ値最適化用データベース
１７０      基準ＧＰＳアンテナ
【図１】
2004254293.tif 000003
【図２】
2004254293.tif 000004
【図３】
2004254293.tif 000005